(57)【特許請求の範囲】
【請求項１】
周面に適当大の選別孔を無数に形成した回転選別胴（１）と、この回転選別胴（１）への回転動力供給用の駆動装置（２）とを機体（３）内に内蔵したもので、該駆動装置（２）を入力軸（４）とギヤボックス（５）に挿通して入力軸（４）に直交する伝動軸（６）とから構成し、入力軸（４）から伝動軸（６）に伝えて前記回転選別胴（１）を駆動する穀粒選別機において、前記入力軸（４）を機体（３）に支持された駆動がわ軸（４ａ）とギヤボックス（５）に支持された受動がわ軸（４ｂ）とに分割し、ギヤボックス（５）は伝動軸（６）に対して摺動可能で且つ該伝動軸（６）の周りに回動自在とし、該ギヤボックス（５）からは伝動軸（６）に直交して該軸（６）と一体となって回転する変速軸（７）を突設しギヤボックス（５）内の受動がわ軸（４ｂ）と変速軸（７）に軸着の各ベベルギヤ（８）（９）の歯数を異にするとともに、
受動がわ軸（４ｂ）と変速軸（７）のギヤボックス（５）から突出する各軸端部（イ）（ロ）を前記駆動がわ軸（４ａ）に連結解離可能に構成したことを特徴とする穀粒選別機の駆動装置。
【発明の詳細な説明】
【０００１】
【産業上の利用分野】
本発明は、周面に適当大の選別孔を無数に形成して立設する複数個の回転選別胴と、この回転選別胴への回転動力供給用の駆動装置とを機体内に内蔵したもので、該駆動装置を入力軸とギヤボックスに挿通して入力軸に直交する伝動軸とから構成し、入力軸から伝動軸を経て伝動軸より前記回転選別胴を駆動するところの例えば米選機のような穀粒選別機の駆動装置に関するものである。
【０００２】
【従来の技術】
従来、米選機のような穀粒選別機にあっては、その回転選別胴と駆動装置とは機体内に内蔵されているから、駆動装置の入力軸に軸着する入力プ−リへのベルトの掛け替え（ベルトの交換）ができなく、また、変速できるようにするためには別途に変速装置を附設しなければならないという問題点がある。
【０００３】
【発明が解決しようとする課題】
この発明は、このような従来のものにおける問題点を解決するを目的として創作されたもので、入力プ−リへのベルトの掛け替えが容易にでき、また、簡単な構成の追加によって変速を可能なものにし、併せて組み立ての容易化とコストの低減に寄与するところの駆動装置を提供せんとするものである。
【０００４】
【課題を解決するための手段】
本発明は、前項に記載するような駆動装置を提供するために、周面に適当大の選別孔を無数に形成した回転選別胴と、この回転選別胴への回転動力供給用の駆動装置とを機体内に内蔵したもので、該駆動装置を入力軸とギヤボックスに挿通して入力軸に直交する伝動軸とから構成し、入力軸から伝動軸に伝えて前記回転選別胴を駆動する穀粒選別機において、前記入力軸を機体に支持された駆動がわ軸とギヤボックスに支持された受動がわ軸とに分割し、ギヤボックスは伝動軸に対して摺動可能で且つ該伝動軸の周りに回動自在とし、該ギヤボックスからは伝動軸に直交して該軸と一体となって回転する変速軸を突設しギヤボックス内の受動がわ軸と変速軸に軸着の各ベベルギヤの歯数を異にするとともに、受動がわ軸と変速軸のギヤボックスから突出する各軸端部を前記駆動がわ軸に連結解離可能に構成したことを特徴とするものである。
【０００５】
【作用】
この構成により、駆動源からベルトによって機体に支持された駆動がわ軸が回転すると、これに連結のギヤボックスに支持された受動がわ軸が一体となって回転し、受動がわ軸から伝動軸に伝達され、回転選別胴は自転しながら公転して小粒のものを除去し選別するのである。
【０００６】
いま、駆動がわ軸を回転しているベルトの損傷或は破損などによってベルトを交換するときには、受動がわ軸を駆動がわ軸の軸端部との連結を解いて離間させれば、機体内でベルトは駆動がわ軸の軸端部脇を通して掛け替えることにより容易に交換することができ、また、回転選別胴の回転速度を変速するには、受動がわ軸を駆動がわ軸との連結を解いてギヤボックスと共に伝動軸の周りに回動させると変速軸も一体となって回動する。そこで、ギヤボックスを上または下に摺動させて変速軸の軸端部を駆動がわ軸の軸端部に合致させ、この軸端部どうしを連結すると、変速軸から歯数の異なるベベルギヤにより伝動軸を介して回転選別胴の回転速度が変速されるのである。
【０００７】
【実施例】
以下、本発明について実施例図を参照して記述するのであるが、この例図に示す穀粒選別機は米選機であって、その外観は「図４」により図示する斜視図のようなもので、籾摺機から矢印（Ｐ）のように供給される籾摺後の玄米が自転しながら公転する複数個の縦形の回転選別胴（１）によって選別され、その選別された良玄米を揚上して貯留タンク（１０）に溜めながらシャッタ（１１）の全開・一部開・全閉の切換えによって計量秤（１２）上に載置する米袋に所定量ずつ袋詰めされ、選別により除去された小米は小米出口（１３）から落下し、貯留タンク（１０）に揚上された余剰の良玄米はオ−バ−フロ−樋（１４）から溢出するのである。
【０００８】
そこで、「図１」と「図２」により更に説明すると、この米選機は前記複数個の回転選別胴（１）を有する選別部（Ａ）と回転選別胴（１）への回転動力供給用の駆動装置（２）を機体（３）内に内蔵したもので、その駆動装置（２）は機体（３）内の下部側に設けられて、横方向の入力軸（４）と変速軸（７）と縦方向の伝動軸（６）およびギヤボックス（５）からなり、伝動軸（６）によって前記回転選別胴（１）を自転させながら公転させているのである。
【０００９】
前記回転選別胴（１）は周面に無数の選別孔を形成した縦形のもので、機体（３）内の中央部に回転自在に立設する回転軸（１５）の周りに複数個のものが配設され、その各回転選別胴（１）は自転しながら回転軸（１５）の周りに公転するもので、籾摺機からの玄米が各回転選別胴（１）の上部内に分配供給されるようになっている。（尚、この分配装置の図面は省略する）。そして、回転選別胴（１）の上部内に供給された玄米のうち選別孔から漏下した小米は輪状の小米集合溝（１６）に入り、その溝（１６）内を回行する排出板（１７）によって一箇所に送り出され揚穀機（１８）により揚上されて前記小米出口（１３）から落下し容器に受けられるのであり、選別孔から漏出しない良玄米は回転選別胴（１）内を下降し下部に設ける落下口（１９）から流出して前記小米集合溝（１６）の下側に設ける幅広い輪状の良玄米集合溝（２０）に入り、その溝（２０）内を回行する取出板（２１）によって一箇所に送り出されバケット付き昇降機（２２）により前記の貯留タンク（１０）に揚上されるようになっている。
【００１０】
次に、駆動装置（２）について記載すると、前記入力軸（４）は軸受（２３）により機体（３）側に支持した駆動がわ軸（４ａ）とギヤボクス（５）に支持された受動がわ軸（４ｂ）とに分割し、その機体（３）内の駆動がわ軸（４ａ）部分には入力プ−リ（２４）が軸着されてベルトを掛け渡し駆動源（電動モ−タ）から回転動力を入力し、入力プ−リ（２４）のボス部の受動がわ軸（４ｂ）側を延出して半円筒部（２４ａ）に形成している。そして、この半円筒部（２４ａ）に受動がわ軸（４ｂ）の軸端部（イ）の半周面を接合し連結ボルト（２５）により締合する構成にして受動がわ軸（４ｂ）を駆動がわ軸（４ａ）に連結解離可能にしている。
【００１１】
また、ギヤボックス（５）には前記受動がわ軸（４ｂ）と直交する縦方向の伝動軸（６）が挿通し、ギヤボックス（５）はこの伝動軸（６）に対して上下に摺動可能で且つ伝動軸（６）の周りに回動自在になっている。そして、このギヤボックス（５）の受動がわ軸（４ｂ）を支持する側と反対側からは受動がわ軸（４ｂ）と同様に伝動軸（６）と直交する横方向に変速軸（７）を突出させて支持し、伝動軸（６）の軸芯から軸端までの長さ（Ｌ１）を受動がわ軸（４ｂ）の軸端までの長さ（Ｌ２）と同じにしてある。また、ギヤボックス（５）内における受動がわ軸（４ｂ）と伝動軸（６）と変速軸（７）の各端部にはそれぞれ噛み合うベベルギヤ（８）（２６）（９）が軸着されいるのであるが、受動がわ軸（４ｂ）のベベルギヤ（８）の歯数を変速軸（７）のベベルギヤ（９）より多くして異にしてある。
【００１２】
そして、伝動軸（６）の上部に軸着するギヤ（２７）を前記回転軸（１５）の下端部に軸着のギヤ（２８）に噛み合わせるとともに、前記回転選別胴（１）の軸芯と合致する線上に回転自在に設けた胴駆動軸（２９）の下端部に軸着のギヤ（３０）をギヤ（３１）を介して回転軸（１５）に軸着する別のギヤ（３２）に噛み合わせている。なお、前記の駆動がわ軸（４ａ）の機体（３）外に突出する突出部（４ｃ）は前記バケット付き昇降機（２２）のバケットベルトの駆動軸を兼ねている。
【００１３】
これにより、「図１」に示すように、受動がわ軸（４ｂ）の軸端部（イ）を入力プ−リ（２４）のボス部の半円筒部（２４ａ）に接合し連結すると、駆動源からベルトにより駆動がわ軸（４ａ）が回転し、受動がわ軸（４ｂ）とベベルギヤ（８）（２６）を介して伝動軸（６）を回転させ、伝動軸（６）からギヤ（２７）と（２８）とによって回転軸（１５）が回転して回転選別胴（１）はこの回転軸（１５）の周りに公転し、ギヤ（３２）からギヤ（３１）（３０）と胴駆動軸（２９）を介して回転選別胴（１）を自転させるようになる。なお、このとき変速軸（７）は噛み合うベベルギヤ（２６）（９）により遊転するのである。
【００１４】
この状態において、入力プ−リ（２４）に掛け渡されて駆動がわ軸（４ａ）を回転しているベルトの損傷或は破損などによってベルトを交換するときには、連結ボルト（２５）を抜いて伝動軸（６）の軸芯を中心にしギヤボックス（５）を回動させると、受動がわ軸（４ｂ）の軸端部（イ）は「図２」に示す矢印（ハ）方向に移動して半円筒部（２４ａ）から離間するようになり、機体（３）内でベルトは半円筒部（２４ａ）脇を通して掛け替え交換ができるのである。
【００１５】
また、この連結ボルト（２５）を抜いて連結を解いた状態にしてギヤボックス（５）を伝動軸（６）の周りに大きく回動させると受動がわ軸（４ｂ）と変速軸（７）はこれと一体となって回動し、そこで、ギヤボックス（５）を上に若干摺動させて変速軸（７）の軸端部（ロ）を前記の半円筒部（２４ａ）に合致させ、連結ボルト（２５）によって締合すると、「図３」に示すように、駆動がわ軸（４ａ）から変速軸（７）とベベルギヤ（９）（２６）により伝動軸（６）を介して伝達されるようになって低速に変速されるのである。なお、このときは、受動がわ軸（４ｂ）は遊転状態になるのである。
【００１６】
【発明の効果】
本発明によるものは、以上詳述したように、周面に適当大の選別孔を無数に形成した回転選別胴（１）と、この回転選別胴（１）への回転動力供給用の駆動装置（２）とを機体（３）内に内蔵したもので、該駆動装置（２）を入力軸（４）とギヤボックス（５）に挿通して入力軸（４）に直交する伝動軸（６）とから構成し、入力軸（４）から伝動軸（６）に伝えて前記回転選別胴（１）を駆動する穀粒選別機において、前記入力軸（４）を機体（３）に支持された駆動がわ軸（４ａ）とギヤボックス（５）に支持された受動がわ軸（４ｂ）とに分割し、ギヤボックス（５）は伝動軸（６）に対して摺動可能で且つ該伝動軸（６）の周りに回動自在とし、該ギヤボックス（５）からは伝動軸（６）に直交して該軸（６）と一体となって回転する変速軸（７）を突設しギヤボックス（５）内の受動がわ軸（４ｂ）と変速軸（７）に軸着の各ベベルギヤ（８）（９）の歯数を異にするとともに、受動がわ軸（４ｂ）と変速軸（７）のギヤボックス（５）から突出する各軸端部（イ）（ロ）を前記駆動がわ軸（４ａ）に連結解離可能に構成したことを特徴とするものであるから、機体内において駆動源からの回転動力を入力するベルトの掛け替えが容易にできて交換が楽に行え、また、簡単な構成の追加によって変速も可能なものになり、併せて組み立ての容易化とコストの低減に寄与することができるものになるに至ったのである。
【図面の簡単な説明】
１ 回転選別胴
２ 駆動装置
３ 機体
４ 入力軸
５ ギヤボックス
６ 伝動軸
７ 変速軸
８ ベベルギヤ
９ ベベルギヤ
４ａ 駆動がわ軸
４ｂ 受動がわ軸
イ 軸端部
ロ 軸端部
【図１】
0003571769.tif 000002
【図２】
0003571769.tif 000003
【図３】
0003571769.tif 000004
【図４】
0003571769.tif 000005